(57)【特許請求の範囲】
【請求項１】
シート材に、該シート材の一部を折り返してなるタック部を複数設け、
前記各タックは、その折り返し部位が拘束部材により拘束され、
前記拘束部材は、前記シート材よりも大きい限界伸長率を有することを特徴とする水中敷設シート。
【請求項２】
前記シート材に、帯状の前記拘束部材を複数接合することにより略矩形状の区画部を複数形成し、該各区画部の４辺それぞれに、前記タック部を複数形成することを特徴とする請求項１に記載の水中敷設シート。
【請求項３】
前記シート材の外周縁全域に帯状の前記拘束部材が接合され、該帯状の拘束部材には、隣接する前記水中敷設シートを接続するための接続手段が形成されることを特徴とする請求項１または２に記載の水中敷設シート。
【請求項４】
前記拘束部材は水に浸漬されると分解する素材で構成されることを特徴とする請求項１〜３のいずれかに記載の水中敷設シート。
【発明の詳細な説明】
【技術分野】
【０００１】
本発明は、海底を埋め立て、そこに護岸や岸壁等の構築物を構築するに際し、埋め立てに利用された土石等の埋め立て材が構築された構築物との隙間から漏出するのを防ぐために埋め立て材を覆ったり、その他各種の水中の基礎を覆うために水中に敷設する防砂シートや遮水シート等の水中敷設シートに関するものである。
【背景技術】
【０００２】
一定の海域を埋め立てて陸地を築造する埋め立て工法は、基礎の上に護岸用函体を連続させて載置して、その連続する護岸用函体によって築造する陸地側に砕石等によって裏込め部を形成する。この裏込め部の表面の大きな凹凸をなくすために潜水作業によって表面の均し作業を行う。その後、裏込め部の表面全域にわたって織布等によるシートを敷き拡げて覆い、その上に埋め立て土砂を投入して陸地を築造しているが、該シートは限界伸長率が一般に２５〜３０％であるために裏込め部の表面に大きな凹凸があると、その凹凸の表面に沿って追従しきれず、シートが破損する結果となり埋め立て土砂が流出して護岸用函体の隙間から漏出してしまうという問題があった。
【０００３】
この問題を対策すべき提案された従来技術として、特許文献１には、縦横の両方向に高伸長特性を有するシートが適用され、該シートが裏込め部の表面の凹凸面に沿って密着することで、埋め立て土砂の漏出を抑制することが開示されている。
【先行技術文献】
【特許文献】
【０００４】
【特許文献１】特開平８−２８４１３２号公報
【発明の概要】
【発明が解決しようとする課題】
【０００５】
しかしながら、特許文献１に係る発明のシートは高価であり採用することが困難であった。
【０００６】
本発明は、かかる点に鑑みてなされたものであり、安価で、敷設する表面の凹凸に密着できるようにした水中敷設シートを提供することを目的とする。
【課題を解決するための手段】
【０００７】
本発明は、上記課題を解決するための手段として、請求項１に記載した発明は、シート材に、該シート材の一部を折り返してなるタック部を複数設け、前記各タックは、その折り返し部位が拘束部材により拘束され、前記拘束部材は、前記シート材よりも大きい限界伸長率を有することを特徴とするものである。
請求項１の発明では、水中敷設シートを水中の基礎、例えば、護岸用函体によって築造する陸地側に砕石等によって形成された裏込め部の凹凸した表面に敷設した際、水中敷設シートは複数のタック部が広がることにより表面の凹凸に沿って密着するようになる。
また、各タックは、折り返し部位を拘束部材により拘束して形成されるので、シートに複数のタック部を容易に形成することができる。
【０００９】
請求項２に記載した発明は、請求項１に記載した発明において、前記シート材に、帯状の前記拘束部材を複数接合することにより略矩形状の区画部を複数形成し、該各区画部の４辺それぞれに、前記タック部を複数形成することを特徴とするものである。
請求項２の発明では、水中敷設シートは、各区画部が複数のタック部の作用により広がることで水中の基礎表面の凹凸に沿って密着するようになる。
【００１０】
請求項３に記載した発明は、請求項１または２に記載した発明において、前記シート材の外周縁全域に帯状の前記拘束部材が接合され、該帯状の拘束部材には、隣接する前記水中敷設シートを接続するための接続手段が形成されることを特徴とするものである。
請求項３の発明では、隣接する水中敷設シートを容易に接続することができ、水中の基礎表面を容易に覆うことが可能になる。
請求項４に記載した発明は、請求項１〜３のいずれかに記載した発明において、前記拘束部材は水に浸漬されると分解する素材で構成されることを特徴とするものである。
【発明の効果】
【００１１】
本発明の水中敷設シートによれば、シートに、帯状の拘束部材を複数使用して、シートの一部を折り返してなる複数のタック部を形成しているので、該水中敷設シートを水中の基礎表面の凹凸に沿って敷設すると、水中敷設シートは、各タック部が広がることにより基礎表面の凹凸に追従するように密着することができる。
これにより、従来の高伸長材を適用した高価なシートを採用する必要がないので、コスト削減に寄与する。
【図面の簡単な説明】
【００１２】
【図１】図１は、本発明の実施の形態に係る水中敷設シートを示す平面図である。
【図２】図２は、本水中敷設シートの各区画部が広がった様子を示す斜視図である。
【図３】図３の（ａ）は、本水中敷設シートが比較的小さな砕石より形成された裏込め部の凹凸に追従して密着している様子を示し、（ｂ）は本水中敷設シートが比較的大きな砕石より形成された裏込め部の凹凸に追従して密着している様子を示す図である。
【図４】図４は、隣接する水中敷設シートを接続する第１実施形態に係る接続手段を示す図である。
【図５】図５は、（ａ）は第２実施形態に係る接続手段を示す平面図で、（ｂ）は側面図である。
【図６】図６は、（ａ）は第３実施形態に係る接続手段である、一方の水中敷設シートに形成される各開口部を示し、（ｂ）は他方の水中敷設シートに固定される接続ピンを示す図である。
【発明を実施するための形態】
【００１３】
以下、本発明を実施するための形態を図１〜図６に基づいて詳細に説明する。
本発明の実施の形態に係る水中敷設シート１は、図１に示すように、略矩形状のシート材２と、該シート材２に複数接合された帯状の拘束部材３と、該各帯状の拘束部材３によりシート材２の一部を折り返してなる複数のタック部４とを備えている。
【００１４】
シート材２は、織布等で限界伸長率が２０％〜３０％の一般的なものが使用される。該シート材２は略矩形状に形成される。
【００１５】
拘束部材３は、シート材２と同等の限界伸長率を有する織布等で構成され、所定幅で直線状に延びる帯状に形成される。該拘束部材３をシート材２の各対辺間に間隔を置いて複数接合することで、シート材２に略矩形状の区画部５を複数形成する。また、シート材２の外周の４辺にも帯状の拘束部材３が接合される。さらに、シート材２には、各拘束部材３が覆われる部位に各拘束部材３が延びる方向に間隔をおいて複数のタック部４が形成される。該タック部４は、シート材２の一部、すなわち、シート材２の拘束部材３が覆われる部位を拘束部材３が延びる側に折り返して、その状態を拘束部材３で拘束して構成される。タック部４は、シート材２に設けた略矩形状の各区画部５の４辺それぞれに複数形成されるようにする。本実施の形態では、タック部４は、各区画部５の４辺それぞれに３箇所ずつ形成されているが、敷設する凹凸面の具合によってその数量が適宜決定される。なお、シート材２と各拘束部材３とは縫合等により接合される。
【００１６】
そして、図２に示すように、水中敷設シート１は、その各区画部５が外力を受けると各タック部４の作用によりそれぞれ独立して広がるようになる。
なお、拘束部材３に限界伸長率が５０％以上の高伸長材を適用してもよく、また、拘束部材３を水に浸漬されると分解する素材で形成してもよい。また、シート材２と各拘束部材３とを縫合等により接合する際の縫合糸等の素材に前記高伸長材を適用してもよく、また、水に浸漬されると分解する素材を適用してもよい。
【００１７】
シート材２の外周全域に接合された帯状の拘束部材３には、隣接する水中敷設シート１、１を接続するための接続手段６ａ〜６ｃが備えられる。
第１実施形態に係る接続手段６ａは、図４に示すように、ループ状に密集して起毛した一方の面部材１０ａと、フック状に起毛した他方の面部材１０ｂを面接触させることで両者を接合する面ファスナ１０、すなわちマジックテープ（商標登録）で構成される。この第１実施形態の場合、一方の水中敷設シート１の外周に接合された拘束部材３をシート材２の外周から外方に突設させ、該突設部１１の上下面から一方の面部材１０ａをそれぞれ突設させると共に、他方の水中敷設シート１の外周に接合された拘束部材３をシート材２の外周から外方に突設させ、該突設部１１の上下面に他方の面部材１０ｂをそれぞれ接合させて構成して、一方の面部材１０ａと他方の面部材１０ｂとを面接触させることで、隣接する水中敷設シート１、１を接続する。
【００１８】
また、第２実施形態に係る接続手段６ｂは、図５に示すように、隣接する水中敷設シート１、１の外周に接合された拘束部材３のそれぞれに、該拘束部材３が延びる方向に間隔置いて複数立設される接続フック１２を互い違いに設け、該各接続フック１２にロープ１３をＳ字状に掛け回す形態である。この形態の場合、当然ながら、接続フック１２には引っ掛けたロープ１３の抜け防止のための抜け防止構造を採用したほうがよい。
【００１９】
さらに、第３実施形態に係る接続手段６ｃは、図６に示すように、一方の水中敷設シート１の外周に接合された拘束部材３に、該拘束部材３の延びる方向に間隔を置いて設けた複数の開口部１６（図６（ａ）参照）と、他方の水中敷設シート１の外周に接合された拘束部材３に固定された、一方の水中敷設シート１の各開口部１６に対応する複数の接続ピン１５（図６（ｂ）参照）とから構成される。該接続ピン１５は、プラスチック製で、一方の水中敷設シート１の各開口部１６よりも若干大径の球部１５ａと、該球部１５ａと一体的に接続される軸部１５ｂと、該軸部１５ｂと一体的に接続され他方の水中敷設シート１の拘束部材３に接続されるベース部１５ｃとからなる。そして、他方の水中敷設シート１の拘束部材３に設けた各接続ピン１５を、一方の水中敷設シート１の拘束部材３に設けた各開口部１６にそれぞれ挿入することで隣接する水中敷設シート１、１を接続する。
【００２０】
なお、その他の接続手段として、図示は省略するが、隣接する水中敷設シート１、１の外周に接合された拘束部材３のそれぞれに、該拘束部材３の延びる方向に間隔を置いて複数の開口部を設け、両方の水中敷設シート１、１に設けた各開口部にからびな等のリング部材を挿通して隣接する水中敷設シート１、１を接続するようにしてもよい。
また、隣接する水中敷設シート１、１が接続される場合には、図５（ｂ）に示すように、その接続範囲の下にもう一枚水中敷設シート１を敷設した方がよい。
【００２１】
そして、図３（ａ）に示すように、本発明の実施の形態に係る水中敷設シート１を、水中の基礎、例えば、護岸用函体によって築造する陸地側に比較的小さな砕石等によって形成された裏込め部２０の凹凸した表面に敷設した際、水中敷設シート１の各区画部５が複数のタック部４によりそれぞれ独立して凹凸した表面に沿って追従するように広がり凹凸した表面に密着するようになる。また、図３（ｂ）に示すように、本水中敷設シート１を、比較的大きな砕石等によって形成された裏込め部２０の凹凸した表面に敷設した場合でも、水中敷設シート１の各区画部５が複数のタック部４によりそれぞれ独立して凹凸した表面に沿って追従するように広がり密着するようになる。この結果、水中敷設シート１が破損して、埋め立て土砂が流出して護岸用函体の隙間から漏出することを抑制することができる。また、隣接する水中敷設シート１、１を接続する際には、各水中敷設シート１の外周に延びる帯状の拘束部材３を利用して設けた接続手段６ａ〜６ｃにより接続できるので、作業が容易となる。
【００２２】
さらに、本発明の実施の形態に係る水中敷設シート１を用いることで、裏込め部２０の凹凸を均す作業を必ずしも必要とせず、また、均し作業を行ったとしてもその均し精度を高く設定する必要がないので、潜水作業を軽減することが可能になる。
【００２３】
なお、本実施形態では、シート材２に帯状の拘束部材３により複数のタック部４を同時に設けるように構成したが、各タック部４を別々に拘束する拘束部材を採用してもよい。
【符号の説明】
【００２４】
１  水中敷設シート，２  シート材，３  拘束部材，４  タック部，５  区画部，６ａ〜６ｃ  接続手段，１０  面ファスナ
【図１】
0005685795.tif 000002
【図２】
0005685795.tif 000003
【図３】
0005685795.tif 000004
【図４】
0005685795.tif 000005
【図５】
0005685795.tif 000006
【図６】
0005685795.tif 000007